(57)【要約】【課題】機械室の出入口を塞ぐ位置に蓋が正しく配置されているか否かをより確実に検出することができる乗客コンベヤを得る。【解決手段】検出器２１は、投光部２３と、投光部２３から出された光を受けたか否かを検出する受光部２４とを有している。上部機械室２の出入口を塞ぐ上部蓋６には、投光部２３から出された光の光軸を変える光軸調整体２２が設けられている。投光部２３から出された光は、上部機械室２の出入口を塞ぐ位置に上部蓋６が正しく配置されているときにのみ、光軸調整体２２を経由して受光部２４で検出される。乗客コンベヤの運転は、受光部２４からの情報に基づいて、制御装置１６により制御される。【選択図】図３
2014108833.tif 000002
【特許請求の範囲】
【請求項１】
投光部と、上記投光部から出された光を受けたか否かを検出する受光部とを有する検出器、
機械室の出入口を塞ぐ蓋に設けられ、上記投光部から出された光の光軸を変える光軸調整体、及び
上記受光部からの情報に基づいて、乗客コンベヤの運転を制御する制御装置
を備え、
上記投光部から出された光は、上記出入口を塞ぐ位置に上記蓋が正しく配置されているときにのみ、上記光軸調整体を経由して上記受光部で検出される乗客コンベヤ。
【請求項２】
投光部と、上記投光部から出された光を受けたか否かを検出する受光部とを有する検出器、
機械室の出入口を塞ぐ蓋に設けられ、上記投光部から出された光の光軸を変える光軸調整体、
上記投光部及び上記受光部に対する位置が固定され、上記投光部から出された光を反射する反射体、及び
上記受光部からの情報に基づいて、乗客コンベヤの運転を制御する制御装置
を備え、
上記投光部から出された光は、上記出入口を塞ぐ位置に上記蓋が正しく配置されているときにのみ、上記光軸調整体及び上記反射体を経由して上記受光部で検出される乗客コンベヤ。
【請求項３】
上記投光部及び上記受光部は、一体化されており、
上記投光部から出された光は、上記出入口を塞ぐ位置に上記蓋が正しく配置されているときにのみ、上記反射体による反射の前後で、共通の上記光軸調整体を経由する請求項２に記載の乗客コンベヤ。
【請求項４】
上記出入口は、複数の上記蓋で塞がれ、
上記光軸調整体は、各上記蓋にそれぞれ設けられており、
上記投光部から出された光は、上記出入口を塞ぐ位置に上記蓋のすべてが正しく配置されているときにのみ、各上記光軸調整体のすべてを経由して上記受光部で検出される請求項１から請求項３までのいずれか一項に記載の乗客コンベヤ。
【請求項５】
上記制御装置は、上記投光部から出された光を上記受光部が検出していないときに、乗客コンベヤの運転を停止する請求項１から請求項４までのいずれか一項に記載の乗客コンベヤ。
【発明の詳細な説明】
【技術分野】
【０００１】
この発明は、機械室の出入口を塞ぐ位置に蓋が配置されているか否かを検出する検出器を備えている乗客コンベヤに関するものである。
【背景技術】
【０００２】
従来、例えば駆動機等が設置された機械室の出入口を乗降口の床板で塞ぐようにした乗客コンベヤが知られている。従来の乗客コンベヤでは、機械室の出入口が床板で塞がれているか否かを検出するために、機械室の出入口を囲む出入口枠に安全スイッチを設け、床板で安全スイッチを操作させるようにした構造が提案されている。従来の乗客コンベヤでは、例えば機械室内の保守点検作業等を行うために床板が機械室の出入口から外されると、安全スイッチの操作が解除されて乗客コンベヤの運転が停止される（例えば特許文献１参照）。
【０００３】
また、従来、機械室の出入口を囲む出入口枠に安全スイッチを設け、床板を出入口枠に留めるボルトで安全スイッチを操作するようにした乗客コンベヤも知られている（例えば特許文献２参照）。
【先行技術文献】
【特許文献】
【０００４】
【特許文献１】特開平１１−９２０７３号公報
【特許文献２】特開平９−７７４４９号公報
【発明の概要】
【発明が解決しようとする課題】
【０００５】
しかし、特許文献１及び２に示されている乗客コンベヤでは、安全スイッチが設けられている場所が出入口枠の一部のみであるので、機械室の出入口に対する床板の位置を部分的にしか検出することができない。従って、床板が機械室の出入口を完全に塞いでいなくても、安全スイッチが誤って操作されてしまうおそれがある。
【０００６】
この発明は、上記のような課題を解決するためになされたものであり、機械室の出入口を塞ぐ位置に蓋が正しく配置されているか否かをより確実に検出することができる乗客コンベヤを得ることを目的とする。
【課題を解決するための手段】
【０００７】
この発明に係る乗客コンベヤは、投光部と、投光部から出された光を受けたか否かを検出する受光部とを有する検出器、機械室の出入口を塞ぐ蓋に設けられ、投光部から出された光の光軸を変える光軸調整体、及び受光部からの情報に基づいて、乗客コンベヤの運転を制御する制御装置を備え、投光部から出された光は、出入口を塞ぐ位置に蓋が正しく配置されているときにのみ、光軸調整体を経由して受光部で検出される。
【０００８】
また、この発明に係る乗客コンベヤは、投光部と、投光部から出された光を受けたか否かを検出する受光部とを有する検出器、機械室の出入口を塞ぐ蓋に設けられ、投光部から出された光の光軸を変える光軸調整体、投光部及び受光部に対する位置が固定され、投光部から出された光を反射する反射体、及び受光部からの情報に基づいて、乗客コンベヤの運転を制御する制御装置を備え、投光部から出された光は、出入口を塞ぐ位置に蓋が正しく配置されているときにのみ、光軸調整体及び反射体を経由して受光部で検出される。
【発明の効果】
【０００９】
この発明に係る乗客コンベヤによれば、機械室の出入口を塞ぐ位置に蓋が正しく配置されているときにのみ、投光部から出された光を受光部で検出させることができ、機械室の出入口を塞ぐ位置に蓋が正しく配置されているか否かの検出をより確実にすることができる。
【図面の簡単な説明】
【００１０】
【図１】この発明の実施の形態１によるエスカレータを示す側面図である。
【図２】図１のエスカレータの下部乗降口を示す斜視図である。
【図３】図１の上部機械室内から見たときの上部安全装置を示す構成図である。
【図４】この発明の実施の形態２によるエスカレータの上部機械室内から見たときの上部安全装置を示す構成図である。
【発明を実施するための形態】
【００１１】
実施の形態１．
図１は、この発明の実施の形態１によるエスカレータを示す側面図である。また、図２は、図１のエスカレータの下部乗降口を示す斜視図である。図において、エスカレータ（乗客コンベヤ）のトラス１の長手方向上端部（長手方向一端部）内には上部機械室２が設けられ、トラス１の長手方向下端部（長手方向他端部）内には下部機械室３が設けられている。また、トラス１の長手方向上端部上には上部乗降口４が設けられ、トラス１の長手方向下端部上には下部乗降口５が設けられている。
【００１２】
上部機械室２の上部には、上部乗降口４に向けて開放された出入口が設けられている。上部機械室２の出入口は、上部乗降口４の床板としてトラス１の長手方向へ並べられた複数（この例では、２枚）の上部蓋６によって塞がれている。各上部蓋６は、上部機械室２の出入口を囲む出入口枠（トラス１の一部）に嵌められた状態で上部機械室２の出入口を塞いでいる。この例では、上部機械室２の出入口枠に各上部蓋６がボルトによって着脱可能に固定されている。
【００１３】
下部機械室３の上部には、下部乗降口５に向けて開放された出入口が設けられている。下部機械室３の出入口は、下部乗降口５の床板としてトラス１の長手方向へ並べられた複数（この例では、２枚）の下部蓋７によって塞がれている。各下部蓋７は、下部機械室３の出入口を囲む出入口枠（トラス１の一部）に嵌められた状態で下部機械室３の出入口を塞いでいる。この例では、下部機械室３の出入口枠に各下部蓋７がボルトによって着脱可能に固定されている。
【００１４】
上部機械室２の上部には上部安全装置８が設けられ、下部機械室３の上部には下部安全装置９が設けられている。上部安全装置８は、上部機械室２の出入口を塞ぐ位置に上部蓋６のすべてが正しく配置されているか否かを検出する。下部安全装置９は、下部機械室３の出入口を塞ぐ位置に下部蓋７のすべてが正しく配置されているか否かを検出する。
【００１５】
トラス１には、上部乗降口４と下部乗降口５との間で循環移動する複数の踏段１０が支持されている。また、トラス１上の幅方向両側部には、一対の欄干１１が設けられている。各欄干１１の外周部には、踏段１０と同期して移動する移動手摺１２が設けられている。
【００１６】
上部機械室２内には、各踏段１０及び移動手摺１２を移動させる駆動力を発生する駆動機１３と、駆動機１３の駆動力を踏段１０及び移動手摺１２に伝える動力伝達装置（図示せず）と、上部安全装置８からの情報を受ける上部制御盤１４とが設けられている。下部機械室３内には、下部安全装置９からの情報を受ける下部制御盤１５が設けられている。
【００１７】
エスカレータの運転を制御する制御装置１６は、上部制御盤１４及び下部制御盤１５を有している。上部制御盤１４及び下部制御盤１５は例えばケーブル等で互いに電気的に接続されており、上部制御盤１４及び下部制御盤１５間での情報の送受が可能になっている。制御装置１６は、上部安全装置８及び下部安全装置９のそれぞれからの情報に基づいて、エスカレータの運転を制御する。
【００１８】
例えばエスカレータの保守点検作業等を行うときには、上部機械室２内及び下部機械室３内の少なくともいずれかでの作業が生じることがある。上部機械室２内での作業領域は駆動機１３、動力伝達装置及び踏段１０等の可動物と隣接し、下部機械室３内での作業領域は踏段１０等の可動物と隣接している。従って、上部機械室２内及び下部機械室３内の少なくともいずれかでの作業が生じる場合には、通常、乗客コンベヤの運転が停止される。
【００１９】
図３は、図１の上部機械室２内から見たときの上部安全装置８を示す構成図である。なお、図３では、上部蓋６のすべてが正しく配置されているときの状態を示している。上部安全装置８は、トラス１に設けられた光学式の検出器２１と、各上部蓋６にそれぞれ設けられた複数（この例では、２つ）の光軸調整体２２とを有している。
【００２０】
検出器２１は、投光部２３と、水平方向について投光部２３から離して配置され、投光部２３から出された光を受けたか否かを検出する受光部２４とを有している。
【００２１】
投光部２３及び受光部２４のそれぞれの位置は、上部機械室２に対して固定されている。また、投光部２３及び受光部２４は、上部機械室２の出入口を上部機械室２内から見たときに、上部機械室２の出入口の領域から外れた位置に配置されている。この例では、上部機械室２の出入口よりもトラス１の中間部に近い位置に投光部２３が配置され、上部機械室２の出入口よりもトラス１の中間部から離れた位置に受光部２４が配置されている。
【００２２】
投光部２３は、投光部２３に設定された投光軸線上を進む光を出すようになっている。また、投光部２３は、上部機械室２内で上部機械室２の出入口を横切る直線に投光軸線を一致させて配置されている。この例では、トラス１の長手方向（複数の上部蓋６が並ぶ方向）に沿った直線に投光軸線を一致させて投光部２３が配置されている。
【００２３】
受光部２４は、投光部２３の投光軸線から外れた位置に配置されている。この例では、投光部２３の投光軸線からトラス１の幅方向へ外れた位置に受光部２４が配置されている。
【００２４】
各上部蓋６は、上部蓋６の裏面を上部機械室２内に向けて上部機械室２の出入口を塞いでいる。各光軸調整体２２は、各上部蓋６の裏面にそれぞれ設けられている。各光軸調整体２２は、投光部２３から出された光の光軸を変える機能を持っている。投光部２３から出された光は、上部機械室２の出入口を塞ぐ位置に各上部蓋６が正しく配置されているときにのみ、各光軸調整体２２で光軸を変えられながら複数の光軸調整体２２のすべてを経由する。投光部２３から出された光は、各上部蓋６にそれぞれ設けられた複数の光軸調整体２２のすべてを経由することにより受光部２４へ導かれ、受光部２４で検出される。
【００２５】
各光軸調整体２２は、互いに対向する第１鏡面部２５及び第２鏡面部２６（一対の鏡面部２５，２６）を有している。光軸調整体２２を経由する光は、第１鏡面部２５及び第２鏡面部２６で順次反射することにより、その光軸が変わる。
【００２６】
上部蓋６に対する光軸調整体２２の位置は、光軸調整体２２ごとに異なっている。この例では、上部機械室２の出入口を塞ぐ位置に各上部蓋６が正しく配置されているときに、受光部２４に近づくほど投光部２３の投光軸線から順次離れるように、上部蓋６に対する光軸調整体２２の位置がそれぞれ設定されている。これにより、上部機械室２の出入口を塞ぐ位置に各上部蓋６が正しく配置されているときには、投光部２３から出された光が、各光軸調整体２２を経由する順に投光部２３の投光軸線から離れる方向へ光軸をずらしながら、受光部２４へ導かれる。
【００２７】
また、上部蓋６に対する光軸調整体２２の位置は、上部蓋６の中心線から外れた位置とされている。これにより、上部蓋６の配置の方向が逆になっているときには、投光部２３に対する光軸調整体２２の位置が変わる。従って、上部蓋６の配置の方向に誤りがあるときには、投光部２３から出された光が受光部２４へ導かれず、受光部２４による光の検出が停止される。
【００２８】
各上部蓋６のすべてが正しく配置されているときには、受光部２４が光を検出することにより上部安全装置８の受光部２４から検出信号が上部制御盤１４へ出力される。また、各上部蓋６のいずれかの配置に異常があるとき（例えば、上部蓋６が上部機械室２の出入口から外れていたり、上部蓋６の配置の方向が誤っていたりするとき）には、投光部２３から出された光が受光部２４へ導かれず、受光部２４による光の検出が停止される（受光部２４が光を検出しなくなる）ことにより、上部安全装置８の受光部２４からの検出信号の出力が停止される。
【００２９】
下部安全装置９の構成は、上部安全装置８と同様の構成となっている。下部安全装置９における投光部及び受光部の下部機械室３に対する位置関係、及び下部安全装置９における各光軸調整体の各下部蓋７に対する位置関係も、上部安全装置８と同様となっている。従って、各下部蓋７のすべてが正しく配置されているときには、下部安全装置９の受光部が光を検出して下部安全装置９の受光部から検出信号が下部制御盤１５へ出力され、各下部蓋７のいずれかの配置に異常があるときには、下部安全装置９の受光部による光の検出が停止されて（受光部２４が光を検出しなくなって）下部安全装置９の受光部からの検出信号の出力が停止される。
【００３０】
制御装置１６は、上部安全装置８及び下部安全装置９のそれぞれの受光部２４からの情報に基づいて、エスカレータの運転を制御する。具体的には、制御装置１６は、上部制御盤１４及び下部制御盤１５で上部安全装置８及び下部安全装置９からの検出信号をそれぞれ受信しているときにエスカレータを運転可能とし、上部制御盤１４及び下部制御盤１５の少なくともいずれかでの検出信号の受信が停止されているときにエスカレータの運転を停止する。
【００３１】
次に、エスカレータの動作について説明する。上部機械室２の出入口を塞ぐ位置に各上部蓋６が正しく配置されているときには、上部安全装置８の投光部２３から出された光が、各上部蓋６にそれぞれ設けられた光軸調整体２２のすべてを経由して受光部２４で検出されている。また、下部機械室３の出入口を塞ぐ位置に各下部蓋７が正しく配置されているときには、下部安全装置９の投光部２３から出された光が、各下部蓋７にそれぞれ設けられた光軸調整体のすべてを経由して受光部で検出されている。このときには、制御装置１６の制御によってエスカレータが運転可能になる。
【００３２】
例えば上部機械室２内及び下部機械室３内の少なくともいずれかの機器類に対する保守点検作業等を行うために、上部機械室２及び下部機械室３のそれぞれの出入口から上部蓋６及び下部蓋７が１つでも外されたときには、光軸調整体２２の位置が変わることにより、投光部から出された光が受光部へ導かれなくなる。これにより、上部安全装置８及び下部安全装置９の少なくともいずれかにおいて、受光部による光の検出が停止される。
【００３３】
即ち、上部機械室２の出入口から上部蓋６の少なくともいずれかが外されると、上部機械室２の出入口から外された上部蓋６に設けられた光軸調整体２２の位置が変わり、投光部２３からの光が受光部２４へ導かれなくなる。これにより、上部安全装置８において、受光部２４による光の検出が停止される。また、下部機械室３の出入口から下部蓋７の少なくともいずれかが外されると、下部機械室３の出入口から外された下部蓋７に設けられた光軸調整体の位置が変わり、下部安全装置９の投光部からの光が受光部へ導かれなくなる。これにより、下部安全装置９において、受光部による光の検出が停止される。
【００３４】
上部安全装置８及び下部安全装置９の少なくともいずれかにおいて、受光部による光の検出が停止され、受光部からの検出信号の出力が停止されると、エスカレータの運転が制御装置１６の制御によって停止される。
【００３５】
このようなエスカレータでは、複数の上部蓋６に光軸調整体２２がそれぞれ設けられ、上部機械室２の出入口を塞ぐ位置に複数の上部蓋６が正しく配置されているときにのみ、投光部２３から出された光が、複数の光軸調整体２２のすべてを経由して受光部２４で検出されるので、上部蓋６が上部機械室２の出入口から外されている場合だけでなく、上部蓋６によって上部機械室２の出入口を塞いでいる状態が不完全な場合にも、投光部２３から出された光が受光部２４で検出されないようにすることができる。これにより、上部機械室２の出入口を塞ぐ位置に各上部蓋６が正しく配置されているか否かの検出をより確実にすることができる。下部安全装置９においても、複数の下部蓋７に光軸調整体がそれぞれ設けられ、下部機械室３の出入口を塞ぐ位置に複数の下部蓋７が正しく配置されているときにのみ、投光部から出された光が、複数の光軸調整体のすべてを経由して受光部で検出されるので、上部安全装置８と同様の効果を得ることができる。
【００３６】
また、配線作業が不要な光軸調整体２２が各上部蓋６にそれぞれ設けられているので、上部蓋６の数が増えても、上部安全装置８の配線作業を投光部２３及び受光部２４の配線作業のみとすることができ、配線作業の増加及び配線の複雑化を防止することができる。これにより、上部安全装置８の設置作業を容易にすることができるとともに、上部安全装置８の配線の簡素化を図ることができる。下部安全装置９についても、上部安全装置８と同様の効果を得ることができる。
【００３７】
また、受光部２４が投光部２３からの光を検出しないときに、エスカレータの運転が制御装置１６の制御により停止されるので、例えば上部機械室２の出入口から上部蓋６を外して上部機械室２内の保守点検作業を行うとき等に、エスカレータの運転をより確実に停止させておくことができる。
【００３８】
また、上部蓋６に対する光軸調整体２２の位置が上部蓋６の中心線から外れた位置となっているので、上部蓋６の配置の方向が逆になると、投光部２３に対する光軸調整体２２の位置も変わるようにすることができる。これにより、上部蓋６の位置だけでなく、上部蓋６の配置の方向についても、異常の有無を検出することができる。これにより、上部機械室２の出入口を塞ぐ位置に各上部蓋６が正しく配置されているか否かの検出をさらに確実にすることができる。従って、例えば上部蓋６に特定の模様を施している場合等、上部蓋６の配置の方向が意匠的に求められる場合であっても、上部蓋６の配置の方向の誤りをより確実に検出することができる。下部安全装置９についても、上部安全装置８と同様の効果を得ることができる。
【００３９】
実施の形態２．
図４は、この発明の実施の形態２によるエスカレータの上部機械室２内から見たときの上部安全装置８を示す構成図である。上部安全装置８は、トラス１に設けられた光学式の検出器２１と、各上部蓋６にそれぞれ設けられた複数（この例では、２つ）の光軸調整体２２と、トラス１に検出器２１から離して設けられた反射体３１とを有している。
【００４０】
検出器２１及び反射体３１は、上部機械室２の出入口を上部機械室２内から見たときに、上部機械室２の出入口の領域から外れた位置にそれぞれ配置されている。この例では、上部機械室２の出入口よりもトラス１の中間部に近い位置に検出器２１が配置され、上部機械室２の出入口よりもトラス１の中間部から離れた位置に反射体３１が配置されている。
【００４１】
検出器２１は、投光部２３及び受光部２４を有している。投光部２３及び受光部２４のそれぞれの構成は、実施の形態１と同様である。この例では、投光部２３及び受光部２４が一体化されている。また、この例では、投光部２３及び受光部２４がトラス１の幅方向について互いに隣接して設けられている。
【００４２】
投光部２３及び受光部２４のそれぞれの位置は、上部機械室２に対して固定されている。また、投光部２３は、上部機械室２内で上部機械室２の出入口を横切る直線に投光軸線を一致させて配置されている。この例では、トラス１の長手方向（複数の上部蓋６が並ぶ方向）に沿った直線に投光軸線を一致させて投光部２３が配置されている。
【００４３】
各光軸調整体２２の構成、及び各上部蓋６に対する各光軸調整体２２の位置は、実施の形態１と同様である。
【００４４】
検出器２１に対する反射体３１の位置は、固定されている。反射体３１は、投光部２３から出された光を反射することにより、投光部２３から出された光の光軸を変える機能を持っている。
【００４５】
投光部２３から出された光は、上部機械室２の出入口を塞ぐ位置に各上部蓋６が正しく配置されているときにのみ、各光軸調整体２２のすべて及び反射体３１を経由して受光部２４へ導かれる。具体的には、投光部２３から出された光は、上部機械室２の出入口を塞ぐ位置に各上部蓋６が正しく配置されているときにのみ、各光軸調整体２２で光軸を変えながら複数の光軸調整体２２のすべてを経由して反射体３１で反射された後、反射体３１で反射される前と逆の順で複数の光軸調整体２２のすべてを経由することにより受光部２４へ導かれる。即ち、投光部２３から出された光は、上部機械室２の出入口を塞ぐ位置に各上部蓋６が正しく配置されているときにのみ、反射体３１による反射の前後で、共通の光軸調整体２２を経由する。
【００４６】
各上部蓋６の少なくともいずれかの配置が異常になっていると、異常の上部蓋６に設けられた光軸調整体２２の位置が変わってしまい、投光部２３から出された光が受光部２４へ導かれなくなる。これにより、受光部２４による光の検出が停止される。
【００４７】
下部安全装置９の構成は、上部安全装置８と同様の構成となっている。下部安全装置９における投光部及び受光部の下部機械室３に対する位置関係、及び下部安全装置９における各光軸調整体の各下部蓋７に対する位置関係も、上部安全装置８と同様の構成となっている。他の構成は実施の形態１と同様である。
【００４８】
次に、動作について説明する。上部機械室２及び下部機械室３のそれぞれの出入口を塞ぐ位置に各上部蓋６及び各下部蓋７がそれぞれ正しく配置されているときには、上部安全装置８及び下部安全装置９のそれぞれにおいて、投光部２３から出された光が、各光軸調整体２２のすべてを経由して反射体３１で反射された後、反射体３１で反射される前と逆の順で各光軸調整体２２のすべてを経由し、受光部２４で検出される。このときには、エスカレータの運転が制御装置１６の制御によって可能になる。
【００４９】
例えば上部機械室２内及び下部機械室３内の少なくともいずれかの機器類に対する保守点検作業等を行うために、上部機械室２及び下部機械室３のそれぞれの出入口から上部蓋６及び下部蓋７が１つでも外されたときには、光軸調整体２２の位置が変わることにより、投光部２３から出された光が受光部２４へ導かれなくなる。これにより、上部安全装置８及び下部安全装置９の少なくともいずれかにおいて、受光部２４による光の検出が停止される。
【００５０】
上部安全装置８及び下部安全装置９の少なくともいずれかにおいて、受光部２４による光の検出が停止され、受光部２４からの検出信号の出力が停止されると、エスカレータの運転が制御装置１６の制御によって停止される。
【００５１】
このように、投光部２３から出された光が反射体３１で反射されるようにし、投光部２３から出された光が、反射体３１による反射の前後で、共通の光軸調整体２２を経由するようにしても、実施の形態１と同様に、上部機械室２の出入口を塞ぐ位置に各上部蓋６が正しく配置されているか否かをより確実に検出することができる。下部安全装置９についても、上部安全装置８と同様の効果を得ることができる。
【００５２】
また、投光部２３及び受光部２４が一体化されているので、検出器２１の配線をまとめることができ、上部安全装置８及び下部安全装置９の設置作業をさらに容易にすることができる。
【００５３】
なお、上記の例では、投光部２３及び受光部２４が一体化されているが、投光部２３及び受光部２４を別体としてもよい。
【００５４】
また、上記の例では、投光部２３から出された光が、反射体３１による反射の前後で、共通の光軸調整体２２を経由するようになっているが、投光部２３から出された光が、反射体３１による反射の前後のいずれかでのみ、光軸調整体２２を経由するようにしてもよい。例えば、投光部２３から出された光が、各光軸調整体２２のすべてを経由して反射体３１で反射した後に、各光軸調整体２２をいずれも経由せずに受光部２４へ直接導かれるようにしてもよい。また、例えば、投光部２３から出された光が、各光軸調整体２２をいずれも経由せずに反射体３１で反射した後に、各光軸調整体２２のすべてを経由して受光部２４へ導かれるようにしてもよい。
【００５５】
また、各上記実施の形態では、光軸調整体２２が第１鏡面部２５及び第２鏡面部２６を有し、投光部２３から出された光を第１鏡面部２５及び第２鏡面部２６で反射させることによりその光軸を変えるようになっているが、光軸調整体２２の構成はこれに限定されない。例えば、光軸を変更可能なプリズムを光軸調整体２２としてもよい。
【００５６】
また、各上記実施の形態では、上部蓋６の数が複数とされているが、上部蓋６の数を１枚としてもよい。このようにしても、上部機械室２の出入口を塞ぐ位置に上部蓋６が正しく配置されているか否かをより確実に検出することができる。さらに、各上記実施の形態では、下部蓋７の数が複数とされているが、下部蓋７の数を１枚としてもよい。このようにしても、下部機械室３の出入口を塞ぐ位置に下部蓋７が正しく配置されているか否かをより確実に検出することができる。
【００５７】
また、各上記実施の形態では、この発明がエスカレータに適用されているが、乗客コンベヤとしての動く歩道にこの発明を適用してもよい。
【符号の説明】
【００５８】
２  上部機械室、３  下部機械室、６  上部蓋、７  下部蓋、１６  制御装置、２１  検出器、２２  光軸調整体、２３  投光部、２４  受光部、３１  反射体。
【図１】
2014108833.tif 000003
【図２】
2014108833.tif 000004
【図３】
2014108833.tif 000005
【図４】
2014108833.tif 000006